(57)【要約】【課題】イヤホンを介して音を出力する場合に、音の聞き逃しを防止可能な携帯端末を提供する。【解決手段】携帯端末は、イヤホンを接続するイヤホン接続手段を備え、イヤホン接続手段へのイヤホンの接続とユーザの耳へのイヤホン装着の有無を検出し、検出した結果に応じて、音声情報の処理あるいは処理された音声情報の出力を制御することを特徴とする。【選択図】図２
2009010798.tif 000002
【特許請求の範囲】
【請求項１】
イヤホンを接続可能な携帯端末であって、
コンテンツを受信する受信手段と、
前記受信手段により受信された前記コンテンツに含まれる音声情報を処理する音声処理手段と、
イヤホンを接続し、前記音声処理手段により処理された音声情報を前記イヤホンへ出力するイヤホン接続手段と、
前記イヤホン接続手段へのイヤホンの接続有無と、前記携帯端末のユーザの耳への前記イヤホンの装着有無とを検出する検出手段と、
前記検出手段による検出結果を用いて前記音声処理手段による音声情報の処理あるいは前記イヤホン接続手段を介した前記イヤホンへの音声情報の出力を制御する制御手段と、
を備えていることを特徴とする携帯端末。
【請求項２】
前記イヤホンはＬ（Ｌｅｆｔ）側イヤホン部とＲ（Ｒｉｇｈｔ）側イヤホン部とを有し、
前記コンテンツに含まれる音声情報は、Ｌ音声情報とＲ音声情報を含むステレオ音声であり、
前記制御手段は、前記検出手段により前記イヤホン接続手段へイヤホンが接続されているが前記ユーザの耳へ前記Ｌ側イヤホン部あるいはＲ側イヤホン部の一方が装着されていないことが検出された場合に、前記音声処理手段により前記Ｌ音声情報と前記Ｒ音声情報をミキシング処理し、前記ユーザの耳へ装着されているイヤホン部に前記ミキシング処理された音声情報を出力するように制御することを特徴とする請求項１記載の携帯端末。
【請求項３】
請求項１に記載の携帯端末はさらに前記受信手段により受信された前記コンテンツあるいは前記音声情報処理手段により処理された音声情報を記録する記録手段を備え、
前記制御手段は、前記検出手段により前記イヤホン接続手段へイヤホンが接続されているが前記ユーザの耳へ前記イヤホンが装着されていないことが検出された場合に、前記記録手段により前記受信手段により受信された前記コンテンツあるいは前記音声情報処理手段により処理された情報を記録し、前記イヤホン接続手段を介した前記イヤホンへの音声情報の出力を停止するように制御することを特徴とする携帯端末。
【請求項４】
請求項１に記載の携帯端末はさらに、前記受信手段により受信された前記コンテンツに含まれる映像情報を処理する映像処理手段と、前記映像処理手段により処理された映像情報を表示する表示手段と、を備え、前記受信手段により受信された前記コンテンツあるいは、前記音声情報処理手段および前記映像情報処理手段により処理された情報を記録する記録手段と、を備え、
前記制御手段は、前記検出手段により前記イヤホン接続手段へのイヤホンが接続されているが前記ユーザの耳へ前記イヤホンが装着されていないことが検出された場合に、前記記録手段により前記受信手段により受信された前記コンテンツあるいは前記音声情報処理手段および前記映像情報処理手段により処理された情報を記録し、前記イヤホン接続手段を介した前記イヤホンへの音声情報の出力および前記表示手段への映像情報の出力を停止するように制御することを特徴とする携帯端末。
【請求項５】
請求項３または請求項４に記載のコンテンツは放送コンテンツであり、
前記制御手段は、前記記録手段による記録が開始された後に、前記検出手段により前記ユーザの耳へ前記イヤホンの装着が検出されると、前記記録手段により記録された前記コンテンツあるいは前記処理された情報を読み出し、タイムシフト再生するように制御することを特徴とする携帯端末。
【請求項６】
請求項１に記載の携帯端末は、前記音声処理手段により処理された音声情報を出力するスピーカを備え、
前記制御手段は、前記受信手段により緊急コンテンツを受信すると、前記検出手段により前記イヤホン接続手段へのイヤホンの接続有無と、前記携帯端末のユーザの耳への前記イヤホンの装着有無とを検出し、前記イヤホンが接続あるいは装着されていない場合に、前記緊急コンテンツの受信を示すメッセージを前記表示手段あるいは前記スピーカから出力するように制御することを特徴とする携帯端末。
【発明の詳細な説明】
【技術分野】
【０００１】
本発明は、イヤホンを用いてオーディオ信号を出力可能な携帯端末に関する。
【背景技術】
【０００２】
特許文献１に、携帯型の情報再生装置などにおいて、ヘッドホンに温度センサや赤外線センサなどを設け、ヘッドホンを装着しているか否かを判断して、ヘッドホンが装着されていない場合には音量を下げたり、再生動作を一時停止させたりすることが記載されている。
【０００３】
【特許文献１】特開２０００−１８２３１０号公報
【発明の開示】
【発明が解決しようとする課題】
【０００４】
携帯端末において、イヤホンを利用してテレビやラジオ放送受信や音楽再生機能からの音声や音楽を聴こうとした場合に、耳にイヤホンを装着しなければならない。ユーザが音声や音楽を視聴したいと思ってから、耳にイヤホンを装着するまでの間に、流れてしまう音を聞き逃してしまう問題がある。また、イヤホンを両耳に装着し、左右の音情報が分離されているステレオでの音を楽しんでいる場合に、片側のイヤホンが外れてしまった場合には、外れてしまった片側からの音を聞き逃してしまう問題がある。
【０００５】
特許文献１は、ＣＤ（コンパクトディスク）やＭＤ（ミニディスク）、半導体メモリなどに記録された音楽情報を再生する携帯型の再生装置に関して、その再生動作などを停止する手法であり、テレビやラジオなどのリアルタイムコンテンツ放送の様な受信側では再生の停止ができない場合のイヤホン装着までの音を聞き逃し防止する手法に関しては記載されていない。また、特許文献１は、イヤホンの片側が外れてしまった際の外れた側から流れる音の聞き逃し防止の手法に関しても記載されていない。
【０００６】
そこで、本発明は、イヤホンを介して音を出力する場合に、音の聞き逃しを防止可能な携帯端末を提供することを目的とする。
【課題を解決するための手段】
【０００７】
本発明にかかる携帯端末は、イヤホンを接続するイヤホン接続手段を備え、イヤホン接続手段へのイヤホンの接続とユーザの耳へのイヤホン装着の有無を検出し、検出した結果に応じて、音声情報の処理あるいは処理された音声情報の出力を制御することを特徴とする。
【発明の効果】
【０００８】
本発明によれば、イヤホンを介して音を出力する場合に、音の聞き逃しを防止可能な携帯端末を提供することができる。
【発明を実施するための最良の形態】
【０００９】
図１は、携帯端末とイヤホンの構成例を示す図である。携帯端末１００は、例えばテレビ、ビデオ、ＨＤＤ(Hard Disk Drive)レコーダなどのＡＶ(Audio Visual)機器や、携帯電話、パソコン、ＰＤＡ(Personal Digital Assistant)などの装置である。
【００１０】
イヤホン１０１は、左右の耳に装着するためのＬ（Ｌｅｆｔ）側とＲ（Ｒｉｇｈｔ）側の２つの部位を有する。また、イヤホン１０１は、ユーザの耳に装着する部分に、温度センサや赤外線センサなどのセンサを設け、イヤホン１０１を耳に装着していることを検知する。なお、センサは温度センサや赤外線センサに限らず、圧力センサや光センサ、音圧センサ、汗検知センサなど、耳への装着が検出できるものであれば、他のセンサであっても良い。イヤホン１０１は、携帯端末１００のイヤホンＩ／Ｆ１０２のＬ、Ｒにそれぞれ接続できる。イヤホンＩ／Ｆ１０２の接続端子は、一般的な平方形状やピン形状など様々に考えられるが、グランド共通で、ＬとＲの２つの端子が別々に存在しているものが望ましい。
【００１１】
なお、本例では、携帯端末１００とイヤホン１０１とを有線で接続しているが、これに限らず、Ｂｌｕｅｔｏｏｔｈ（登録商標）などの短距離無線を利用して無線により接続するようにしても良い。無線での接続の場合でも、イヤホン１０１のＬとイヤホンＩ／ＦのＬ、イヤホン１０１のＲとイヤホンＩ／ＦのＲは１対１で対応して、それぞれを別々の無線のチャネル構成で接続されることが望ましい。また、本例では、携帯端末１００とイヤホン１０１が別体となっているが、イヤホン１０１と携帯端末１００を一体化しても良い。例えば、イヤホン１０１とイヤホンＩ／Ｆ１０２とを、着脱式ではなく、電線で直接接続し、携帯端末１００の内部に巻き線で電線をイヤホン１００を収納し、収納したイヤホン１００を引き出すことができる機構にする。
【００１２】
イヤホン制御部１０３は、イヤホンＩ／Ｆ１０２に接続されたイヤホン１０１の状態を監視して、イヤホンＩ／Ｆ１０２へのオーディオ信号出力や電力供給を制御する。
【００１３】
ＣＰＵ１０４（Central Processing Unit）は、携帯端末１００全体の処理制御を行う。例えば、ユーザＩ/Ｆ１０６を介して、ユーザから着信音の出力停止などを行うマナーモードの設定が入力された場合、ＣＰＵ１０４は、その設定を記憶部１０５に記憶し、設定に応じて音声処理部１０８などを制御し、着信時に音を出力しないなどの制御を行う。
【００１４】
記憶部１０５は、放送受信部１０７から受信した映像や音声などを記録する。ユーザＩ／Ｆ１０６は例えばキーボタンやタッチパネルなどにより構成され、利用者からの操作入力を受け付ける。放送受信部１０７は、地上波デジタル(ワンセグ、フルセグ)やラジオ放送、データ放送、アナログ放送、衛星放送、ブロードキャスト型のネットワーク放送などを受信する。音声処理部１０８は、放送受信部１０７で受信したオーディオ信号情報を処理し、イヤホンＩ／Ｆ１０２を介して、イヤホン１０１やスピーカ１１１へ音を出力する。また、録音時には、記憶部１０５へオーディオ情報を出力する。映像処理部１０９は、放送受信部１０７から受信した映像情報を処理し、表示部１１０へ映像を出力する。録画時には、記憶部１０５へ映像情報を出力する。表示部１１０は、放送受信部１０７から受信した映像を表示し、携帯端末１００の様々な制御結果を表示する。スピーカ１１１は、音声処理部１０８からのオーディオ情報を再生する。
【００１５】
この構成により、携帯端末１００はＴＶ放送を受信し、その放送を視聴する際に、イヤホン１０１が両方の耳に装着されているかどうかを判定し、イヤホン１０１の装着状況によりイヤホン１０１へのオーディオ情報の出力を制御する。さらに、記憶部１０５を備えていることにより、放送型コンテンツなど一時停止できないコンテンツを録画／録音することができ、録画しながら視聴している番組を途中で一時停止したり、さかのぼって視聴する、いわゆるタイムシフト視聴を行うことができる。このタイムシフト機能を利用して、耳にイヤホン１０１を装着するまで間のコンテンツを録画しておくと、耳にイヤホン１０１の装着を完了した時点で、コンテンツをタイムシフト再生させることができ、イヤホン装着までの聞き逃しを防止することができる。
【００１６】
また、イヤホン１０１が両方の耳に装着されているかどうかを判定できるため、イヤホン１０１を両耳に装着し、左右の音情報が分離されているステレオでの音を楽しんでいる場合に、片側のイヤホン１０１が外れてしまった場合には、外れた側のオーディオ信号を、耳に装着されている側のオーディオ信号にミキシングして、装着されている側のイヤホン１０１から出力することにより、片方のイヤホンが外れてしまった場合であっても音の聞き逃しを防止することができる。
【００１７】
図２は、携帯端末１００におけるオーディオ信号の処理手順の一例を示すフローチャートである。この処理は、記憶部１０５に記憶されたプログラムに基づいて、ＣＰＵ１０４により実行される。
【００１８】
ユーザからユーザＩ／Ｆ１０６を介して、ＴＶ視聴の要求が入力されると（Ｓ２００）、イヤホンＩ／Ｆ１０２にイヤホン１０１が装着されているかを判定する（Ｓ２０１）。ここで、有線でのイヤホン接続の場合は、イヤホンＩ／Ｆ１０２の接続端子に物理的に接続されているかを確認する。また、無線でのイヤホン接続の場合には、携帯端末１００（またはイヤホン１０１）からの無線信号に含まれた応答要求に対して、イヤホン１０１（または携帯端末１００）が無線信号に含まれた応答信号を受信したかどうかにより、イヤホン装着の有無を検知する。
【００１９】
携帯端末１００へイヤホン１０１が装着されていない場合（Ｓ２０１  Ｎｏ）、携帯端末１００にマナーモードが設定されているかどうかを判定する（Ｓ２０２）。マナーモードが設定されている場合には（Ｓ２０２  ＹＥＳ）、イヤホンＩ／Ｆ１０２へのオーディオ信号出力を停止し（音声処理部１０８での音声処理をせず）、映像処理部１０９の出力を表示部１１０に表示する（Ｓ２０３）。一方、マナーモードが設定されていない場合には（Ｓ２０２  ＮＯ）、音声処理部１０８からオーディオ信号をスピーカ１１１に出力し、映像処理部１０９の出力を表示部１１０に表示する（Ｓ２０４）。
【００２０】
Ｓ２０１において、イヤホンＩ／Ｆ１０２にイヤホン１０１が装着されていると判定した場合（Ｓ２０１  ＹＥＳ）、イヤホン１０１に設置された温度センサや赤外線センサなどによって、イヤホン１０１がユーザの耳に装着されているか否かを検知する（Ｓ２０５）。耳へのイヤホン１０１の装着が検知できた場合（Ｓ２０５  ＹＥＳ）、イヤホン１０１のＬ／Ｒの一方が装着されているか、両方が装着されているかを判定する（Ｓ２０６）。
【００２１】
イヤホン１０１のＬ／Ｒの一方しか装着されていない場合には（Ｓ２０６  ＹＥＳ）、装着されているＬ／Ｒの一方からオーディオ信号を出力するために、音声処理部１０８において、ＬとＲのオーディオ信号のミキシング処理を行う（Ｓ２０７）。そして、装着されているイヤホン１０１のＬ／Ｒの一方からＬとＲがミキシングされたオーディオ信号を出力し、映像処理部１０９の出力を表示部１１０に表示する（Ｓ２０８）。このように、イヤホン１０１がユーザの片耳だけしか装着されていない場合に、装着されているイヤホン１０１のＬ／Ｒの一方にＬとＲのミキシング音を出力することで、ステレオ音声をユーザに提供することができる。
【００２２】
Ｓ２０６にて、イヤホン１０１のＬ／Ｒの両方が装着されている場合には（ＮＯ）、音声処理部１０８からＬ、Ｒに分離されたステレオオーディオ信号をイヤホン１０１のＬ／Ｒのそれぞれから出力し、映像処理部１０９の出力を表示部１１０に表示する（Ｓ２０９）。
【００２３】
Ｓ２０５において、耳へのイヤホン１０１の装着が検知できなかった場合（ＮＯ）、音声処理部１０８および映像処理部１０９の出力を記憶部１０５へ記録（録画／録音）する（Ｓ２１０）。なお、耳へのイヤホン１０１の装着が検知できなかった場合に、音声処理部１０８および映像処理部１０９による処理を行なわずに、放送受信部１０７により受信されたコンテンツを記憶部１０５に記録するようにしても良い。
【００２４】
記録（Ｓ２１０）をしている間に、耳へのイヤホン１０１の装着をチェックし（Ｓ２１１）、まだイヤホン１０１が装着されていない場合（ＮＯ）には、記録を継続する（Ｓ２１０）。Ｓ２１１にて、耳へのイヤホン１０１の装着があった場合（ＹＥＳ）には、Ｓ２１０で録画を開始した情報の再生を開始（タイムシフト再生開始）し、音声処理部１０８からオーディオ信号をイヤホン１０１に出力し、映像処理部１０９の出力を表示部１１０に表示する（Ｓ２１２）。このように、イヤホン１０１が装着されるまでの間にＴＶ放送を録画し、装着後にタイムシフト再生することで、ＴＶ視聴要求がされたにもかかわらずイヤホン１０１がユーザの耳に装着されていない場合であっても、リアルタイムに流れていく放送型コンテンツの音を確実にユーザに提供することができ、聞き逃しを防止することができる。
【００２５】
Ｓ２１２においてタイムシフト再生を開始する際、Ｓ２０６の判定を導入して、片耳のみイヤホン１０１を装着した場合には、Ｌ、Ｒのオーディオ信号をミキシングして、装着できたイヤホン側から、ミキシングされた音を出力してもよい。また、Ｓ２１２において、耳にイヤホン１０１が装着されたからといって、すぐにタイムシフト再生を始めると、ユーザが表示部１１０を見られる準備ができていない場合がある。そのため、Ｓ２１１で耳へのイヤホン１０１の装着が検出されたあと、例えば5秒などの所定時間が経過してからタイムシフト再生を開始することが望ましい。  以上説明したように制御することにより、携帯端末１００へのイヤホン１０１の接続の有無や、イヤホン１０１のユーザの耳への装着の有無などに応じて、適切にオーディオ信号の出力を制御することができる。
【００２６】
なお、Ｓ２０８、Ｓ２０９においてＴＶ視聴を開始後、所定期間が経過すると、Ｓ２０１あるいはＳ２０５の処理に戻るようにすることが望ましい。このように処理することにより、視聴を開始後にイヤホン１０１が携帯端末１００やユーザの耳からはずれた場合であっても、適切にオーディオ信号の出力を制御することができる。また、Ｓ２１２のタイムシフト再生ＴＶ視聴に関しては図７、Ｓ２０４のスピーカ音でのＴＶ視聴に関しては図８、Ｓ２０３のイヤホンが装着されていなく映像のみのＴＶ視聴に関しては図９を用いて後述する。
【００２７】
図３は、イヤホン１０１のＬ側のみなど、片方のイヤホン１０１の装着が検出された場合のイヤホン制御部１０３におけるイヤホン制御処理の動作シーケンス例を示す図である。
【００２８】
イヤホン制御部１０３では、イヤホン１０１がイヤホンＩ／Ｆ１０２に装着されているか否かを示す検出信号を受信し、さらに、イヤホン制御部１０３は、イヤホン１０１のＬ側に設置してある温度センサや赤外線センサの出力から、イヤホン１０１のＲ側、Ｌ側それぞれがユーザの耳に装着されているか否かを示す検出信号を受信する。本例では、Ｌ側のみのイヤホン１０１の装着が検出された場合を示している。
【００２９】
イヤホン制御部１０３は、イヤホンＩ／Ｆ１０２からイヤホン１０１の装着検出と耳への装着検出の情報を受信すると、音声処理部１０８に対して、オーディオ処理要求信号を送信する。このオーディオ処理要求信号には、放送受信部１０７から受信したＬ、Ｒのオーディオ信号をそれぞれ出力するかミキシングするかを示すパラメータと、イヤホンＩ／Ｆ１０２のＬ、Ｒ側のいずれかへのオーディオ信号の出力停止および電力供給停止を示すパラメータが含まれる。本例では、放送受信部１０７から受信したＬ、Ｒのオーディオ信号をミキシングして、ミキシングしたオーディオ信号をイヤホンＩ／Ｆ１０２のＬ側のみへ出力を指示するパラメータと、イヤホンＩ／Ｆ１０２のＲ側へのオーディオ信号の出力停止および電力供給停止を指示するパラメータとが含まれる。オーディオ処理要求信号を受信した音声処理部１０８では、ＬとＲのオーディオ信号をミキシングし、ミキシングしたオーディオ信号をイヤホンＩ／ＦのＬ側のみに出力する音声処理を行う。さらに、イヤホンＩ／Ｆ１０２のＲ側へのオーディオ信号出力を停止し、電力供給を停止する処理を行う。
【００３０】
図３に示すように、イヤホンが片耳だけ検出された場合、ＬとＲのオーディオ信号のミキシング音を装着されたイヤホンに出力することにより、片耳のイヤホンが外れた場合でも、放送されているコンテンツの音の聞き逃しを防止することができる。また、装着されていない側の（外れてしまった）イヤホンからの音の出力を停止することで、周囲への音漏れを防止することができる。さらに、装着されていない側のイヤホンＩ／Ｆへの電源供給を停止することにより、ミキシング処理による電力増加分を抑えることができる。
【００３１】
図４は、イヤホン制御部１０３が、ユーザの耳へイヤホン１０１が装着されているか否かを検出する方法例を示す図である。
【００３２】
イヤホン制御部１０３は、イヤホンＩ／Ｆ１０２を介して、イヤホン１０１のＬ側とＲ側の各々に設置してある温度センサや赤外線センサなどのセンサにより検出された電圧を示す出力信号を受信する。受信した電圧が、図４(a)に示すように閾値電圧Ｖｔを超えた場合に、耳へイヤホン１０１が装着されていると判断する。本例では、図４(b)に矢印でしめされた期間がイヤホン装着期間として検出される。
【００３３】
このようにイヤホン装着期間を検出することにより、イヤホン１０１が耳へ安定して装着ができた段階で、イヤホン制御部１０３は、オーディオ信号をイヤホン１０１に出力するように制御することができる。
【００３４】
なお、一時的に閾値電圧Ｖｔを超えた、あるいは閾値電圧Ｖｔ以下になるたびに、イヤホン１０１が装着されていないと判断して制御を切り換えると、かえってユーザが視聴し難くなってしまう可能性がある。そこで、図４(c)に示すように、閾値電圧Ｖｔを超えた、あるいは閾値電圧Ｖｔ以下になってからの時間ｔを測定し、時間ｔが閾値Ｔを越えた場合に、イヤホン制御部１０３はイヤホン１０１がユーザの耳に装着された、あるいは耳から外れたと判断するようにしても良い。
【００３５】
また、本例では、イヤホン制御部１０３がイヤホン１０１装着の有無を検出しているが、これに限らず、イヤホンＩ／Ｆ１０２において、イヤホン１０１が耳に装着されていることを検知し、その情報をイヤホン制御部１０３に伝えるようにしても良い。イヤホン制御部１０３への情報伝達の方法としては、ソフトウェア処理にて、イヤホン１０１が耳に装着されていることを検知した場合に、その通知を含んだメッセージをイヤホン制御部１０３に送信する方法や、時間ｔがある閾値Ｔを越えている期間、イヤホンＩ／Ｆの指定した端子にある電圧Ｖaを出力し、その電圧値をイヤホン制御部１０３が検知する方法などが考えられる。
【００３６】
図５は、音声処理部１０８の内部構成例を示す図である。音声処理部１０８は、イヤホン制御部１０３からのミキシング処理要求を受け取ると、放送受信部１０７からのＬチャンネルのオーディオ信号５０１とＲチャンネルのオーディオ信号５０２をミキシング処理部５０４において、ミキシング処理する。この際に、ダイナミックレンジ調整部５０３において、それぞれのオーディオ信号のダイナミックレンジを取得し、そのダイナミックレンジ調整処理を行い、ミキシング処理部５０４おいて、そのダイナミックレンジ調整を反映させて、ミキシング出力信号５０５を出力する。このように、ダイナミックレンジ調整を行うことにより、ただ単にＬとＲの総和の音量で片耳から出力し、いきなり大きいレンジの音により、ユーザに不快感を与えることを防止でき、ＬのみまたはＲのみのオーディオ信号が大きく聞こえるなどのＬとＲの音量の偏りを防止することができる。
【００３７】
図６は、ダイナミックレンジ調整部５０３における処理の一例を示している。ＬとＲの音量レベルを合成した後、さらに、片側の音が小さくなりすぎなく、さらに、出力するミキシング信号の音量が大きくならない様に調整する。例えば、Ｌ、Ｒの音量レベルＳＬ、ＳＲに対して、Ｒ側イヤホンが外れて、ＬとＲをミキシングする場合に、ＳＬ＋ＳＲの音量レベルが今までＬ側から聞こえていた音量ＳＬを超える場合には、あるパラメータa、ｂ、cを設定して、Ｌ側の音量は、ＳＬのa％以上の音量を確保し、さらに、ＲＬのｂ％以上の音量を確保して、さらに、ＬとＲのミキシング音量レベルを、今までＬ側イヤホンで聞いていた音量レベルＳＬのｃ倍以内に抑えるなどのダイナミックレンジ調整を行う。
【００３８】
これにより、不意に片側のイヤホンが外れた場合でも、装着しているイヤホンの音量が大きくなり過ぎるのを防止でき、さらに、音量が圧縮されて小さな音量になる成分も元の音量のa％以上、ｂ％以上の音量を確保できるため、片側のイヤホンからの音量が極端に小さくなることを防ぐことができる。
【００３９】
図７は、イヤホン１０１を用いたタイムシフトＴＶ視聴を開始した後の処理例を示すフローチャートである。図２のＳ２１２の状況でＴＶ視聴をしている場合に（Ｓ７００）、イヤホンＩ／Ｆ１０３からイヤホン１０１が外れたかどうかを判定する（Ｓ７０１）。イヤホン１０１が外されていなければ（ＮＯ）、そのままＳ７００の動作を継続する。Ｓ７０１にて、イヤホン１０１の取り外しが検出された場合（ＹＥＳ）には、イヤホン１０１へのオーディオ出力は無駄になってしまうので、音声処理部１０８はイヤホンＩ／Ｆ１０２へのオーディオ信号出力を停止し（Ｓ７０２）、映像処理部１０９から表示部１１０に映像を出力するのみのタイムシフトＴＶ再生を行う（Ｓ７０３）。Ｓ７０３中にタイムシフト再生を早送りや倍速再生機能などを行うことにより、タイムシフト再生の最新の情報が放送されている情報と一致し、タイムシフト再生が生放送に追いついたかを判定する（Ｓ７０４）。Ｓ７０４において、タイムシフト再生が放送に追いついていない場合（ＮＯ）には、映像のみのタイムシフトＴＶ再生を継続する（Ｓ７０７）。Ｓ７０４において、タイムシフト再生が放送に追いついた場合（ＹＥＳ）には、録画を停止し（Ｓ７０５）、タイムシフト再生なし、映像のみのＴＶ視聴（Ｓ７０６）を行う。また、タイムシフト再生時も、片耳のみのイヤホン装着の場合には、オーディオ信号のミキシング処理（Ｓ２０６〜Ｓ２０９）を行ってもよい。
【００４０】
図８は、スピーカ１１１を用いたＴＶ視聴を開始した後の処理例を示すフローチャートである。図２のＳ２０４の状況でＴＶ視聴している場合に（Ｓ８００）、イヤホンＩ／Ｆ１０２にイヤホン１０１が装着されているかを判定する（Ｓ８０１）。イヤホン１０１が装着されていない場合には（ＮＯ）、Ｓ８００のスピーカ１１１でのＴＶ視聴を継続する。Ｓ８０１において、イヤホン１０１の装着が検出された場合には（ＹＥＳ）、耳へのイヤホン１０１の装着の検出を行う（Ｓ８０２）。
【００４１】
Ｓ８０２において、耳へのイヤホンの装着が検出された場合には（ＹＥＳ）、スピーカ１１１からのオーディオ信号出力を停止し、耳に装着されているイヤホン１０１へオーディオ信号を出力する（Ｓ８０３）。そして、表示部１１０の映像とイヤホン１０１から音声を聞くスタイルのＴＶ視聴（Ｓ８０４）を行う。なお、この際に、片耳のみ装着されている場合には、ミキシング音を装着された片耳に出力する。
【００４２】
Ｓ８０２において、耳への装着が検出できない場合には（ＮＯ）、タイマを開始し（Ｓ８０５）、耳へのイヤホン１０１の装着が検出（Ｓ８０６）されるか、またはＳ８０５のタイマが満了（Ｓ８０９）するまでの間は、スピーカ１１１からのオーディオ出力を行う。Ｓ８０６で耳へのイヤホン装着検出がなされた場合には（ＹＥＳ）、または、Ｓ８０９でタイマが満了した場合には（ＹＥＳ）、スピーカ１１１からのオーディオ信号出力を停止し、耳に装着されているイヤホン１０１へオーディオ信号を出力する（Ｓ８０７、Ｓ８１０）。そして、表示部１１０の映像とイヤホン１０１から音声を聞くスタイルのＴＶ視聴（Ｓ８０８、Ｓ８１１）を行う。
【００４３】
図９は、映像のみで音声デコードを行わないＴＶ視聴を開始した後の処理例を示すフローチャートである。図２のＳ２０３の状況でＴＶ視聴している場合に（Ｓ９００）、イヤホンＩ／Ｆ１０２へのイヤホン１０１の装着の有無を検出する（Ｓ９０１）。イヤホン１０１の装着が検出されない場合には（ＮＯ）、Ｓ９００でのＴＶ視聴を継続する。Ｓ９０１において、イヤホン１０１の装着が検出された場合には（ＹＥＳ）、耳へのイヤホン装着を検出する（Ｓ９０２）。耳へのイヤホン装着が検出されない場合には（ＮＯ）、Ｓ９００でのＴＶ視聴を継続する。Ｓ９０２において、耳へのイヤホン１０１の装着が検出された場合には（ＹＥＳ）、音声処理部１０８において音声デコード処理を開始し、耳への装着が検出されたイヤホンＩ／Ｆ１０２へのオーディオ信号の出力を開始する（Ｓ９０３）。この際、片耳のみ装着が検出された場合には装着された片耳にミキシング音を出力する。そして、表示部１１０の映像とイヤホン１０１から音声を聞くスタイルのＴＶ視聴（Ｓ９０４）を行う。
【００４４】
なお、図２のＳ２１２、Ｓ２０４、Ｓ２０３においてＴＶ視聴を開始した後の処理を図７〜図９を用いて説明したが、ＴＶ視聴を開始後、所定期間が経過すると、図２のＳ２０１の処理に戻るように制御するようにしても良い。
【００４５】
図１０は、イヤホン１０１を装着してＴＶ視聴中に緊急災害時に放送される緊急放送を受信した場合の処理例を示すフローチャートである。
【００４６】
イヤホン１０１を装着してＴＶ視聴をしている際に（Ｓ１０００）、放送受信部１０７において、放送波に緊急用に使用されるフラグが含まれる場合には、受信した放送が緊急放送であることを検知する（Ｓ１００１）。緊急放送受信が検出されると、イヤホンＩ／Ｆ１０２へのイヤホン１０１の装着有無が検出され（Ｓ１００２）、イヤホン装着の検出が無い場合には（ＮＯ）、マナーモード設定がなされているかどうかを判定する（Ｓ１００３）。Ｓ１００３において、マナーモードが設定されていない場合には（ＮＯ）、スピーカ１１１へ緊急放送のオーディオ信号を出力する（Ｓ１００４）。Ｓ１００３において、マナーモードが設定されている場合には（ＹＥＳ）、表示部１１０に緊急放送を知らせる様な表示を行う（Ｓ１００５）。この際、携帯端末１００にバイブレーション機能やＬＥＤライト機能などが搭載されている場合には、これらの機能を利用して、ユーザに緊急放送受信中であることを伝える。
【００４７】
Ｓ１００２において、携帯端末１００にイヤホンが検出された場合には（ＹＥＳ）、耳へのイヤホン１０１の装着の有無を判定する（Ｓ１００６）。耳へのイヤホン装着が検出された場合には（ＹＥＳ）、音声処理部１０８はイヤホンＩ／Ｆ１０２へオーディオ信号を出力する（Ｓ１００７）。この際、片耳のみイヤホン１０１の装着が検出された場合には、装着された片耳にミキシング音を出力する。Ｓ１００６において、耳へのイヤホン検出がなされない場合には（ＮＯ）、マナーモード設定の有無を判定する（Ｓ１００８）。Ｓ１００８において、マナーモードが設定されている場合には、表示部１１０に緊急放送を知らせる様な表示を行う（Ｓ１００９）。この際、携帯端末１００にバイブレーション機能やＬＥＤライト機能などが搭載されている場合には、これらの機能を利用して、ユーザに緊急放送受信中であることを伝える。Ｓ１００８において、マナーモード設定がなされていない場合には（ＮＯ）、スピーカ１１１へ緊急放送のオーディオ信号を出力する（Ｓ１０１０）。この場合、イヤホンＩ／Ｆ１０２にはイヤホン１０１が接続されているが、スピーカ１１１を利用して、ユーザに緊急放送を受信していることを通知できることになる。Ｓ１００３、Ｓ１００８にて、マナーモードが設定されている場合でも、通信キャリアや放送局が規定した特殊な緊急コードを含んだ情報を受信した場合には、Ｓ１００５、Ｓ１００９において、スピーカ１１１へ緊急放送のオーディオ信号を出力しても良い。これにより、放送、通信受信端末を有していないユーザにも、音で緊急情報を通知できる。
【００４８】
図１１は、イヤホンＩ／Ｆ１０２にイヤホン１０１が接続されている状態で、緊急放送を受信していることを画面に表示している一例である。このように表示することにより、緊急放送の受信をユーザに効率的に伝えることが可能になる。
【００４９】
以上説明した各実施の形態は、本発明の説明のための例示であり、本発明の範囲を実施形態にのみ限定する趣旨ではない。当業者は、本発明の要旨を逸脱することなしに、他の様々な態様で本発明を実施できる。
【図面の簡単な説明】
【００５０】
【図１】携帯端末とイヤホンの構成例を示す図である。
【図２】携帯端末におけるオーディオ信号の処理手順の一例を示すフローチャートである。
【図３】イヤホン制御処理の動作シーケンス例を示す図である。
【図４】イヤホン制御部１０３が、ユーザの耳へイヤホン１０１が装着されているか否かを検出する方法例を示す図である。
【図５】音声処理部１０８の内部構成例を示す図である。
【図６】ダイナミックレンジ調整部５０３における処理の一例を示す図である。
【図７】イヤホンを用いたタイムシフトＴＶ視聴を開始した後の処理例を示すフローチャートである。
【図８】スピーカを用いたＴＶ視聴を開始した後の処理例を示すフローチャートである。
【図９】音声デコードを行わないＴＶ視聴を開始した後の処理例を示すフローチャートである。
【図１０】イヤホン１０１を装着してＴＶ視聴中に緊急災害時に放送される緊急放送を受信した場合の処理例を示すフローチャートである。
【図１１】緊急放送を受信していることを画面に表示している一例である。
【符号の説明】
【００５１】
１００…携帯端末
１０１…イヤホン
１０２…イヤホンＩ／Ｆ
１０３…イヤホン制御部
１０４…ＣＰＵ
１０５…記録部
１０６…ユーザＩ／Ｆ
１０７…放送受信部
１０８…音声処理部
１０９…映像処理部
１１０…表示部
１１１…スピーカ
５０１…Ｌｃｈオーディオ信号
５０２…Ｒｃｈオーディオ信号
５０３…ダイナミックレンジ調整部
５０４…ミキシング処理部
５０５…Ｌ、Ｒミキシング出力信号
【図１】
2009010798.tif 000003
【図２】
2009010798.tif 000004
【図３】
2009010798.tif 000005
【図４】
2009010798.tif 000006
【図５】
2009010798.tif 000007
【図６】
2009010798.tif 000008
【図７】
2009010798.tif 000009
【図８】
2009010798.tif 000010
【図９】
2009010798.tif 000011
【図１０】
2009010798.tif 000012
【図１１】
2009010798.tif 000013